(57)【特許請求の範囲】
【請求項１】
病院手術室用の周囲照明システムであって、
(i)  少なくとも１つの周囲光源を含み、前記各周囲光源は、低誘電率を有する非多孔質の半透明シートを含み、前記半透明シートは、
病院手術室に近い方に且つ病院手術室に露出されて位置決めされた第１の面と、
内部と、
前記第１の面と実質的に平行であり、病院手術室から遠い方に且つ病院手術室に露出されずに位置決めされた第２の面と、を含み、
(ii)  反射器をさらに含み、前記反射器は、前記半透明シートよりも病院手術室から遠くに且つ前記半透明シートと光学的並列位置に位置決めされ、
(iii)  光源をさらに含み、前記光源は、選択的には着色されており、前記光源は、前記半透明シートの非露出面である第２の面を直接的に照明することができ且つ反射器からの反射によって前記半透明シートの非露出面である第２の面を間接的に照明することができ、
前記半透明シートの内部および露出面である第１の面は、前記光源が前記半透明シートの非露出面である第２の面を直接的におよび間接的に照明するときに、病院手術室に拡散周囲光を提供し、
前記病院手術室用の周囲照明システムは、病院手術室の壁の大部分に配置される、
ことを特徴とする病院手術室用の周囲照明システム。
【請求項２】
前記周囲光源は、無線制御信号に応答する、ことを特徴とする請求項１に記載の病院手術室用の周囲照明システム。
【請求項３】
前記半透明シートは、アクリル硬質表面材料製である、ことを特徴とする請求項１に記載の病院手術室用の周囲照明システム。
【請求項４】
前記光源は、(i)集束された着色光源、(ii)着色光源のアレイ、(iii)着色された集束光源のアレイ、または(iv)非集束着色光源のアレイである、ことを特徴とする請求項１に記載の病院手術室用の周囲照明システム。
【請求項５】
前記光源は、バックパネルのアレイであり、前記バックパネルは、少なくとも１つの前記バックパネル上の少なくとも１つの着色ＬＥＤを含む、請求項１に記載の病院手術室用の周囲照明システム。
【発明の詳細な説明】
【技術分野】
【０００１】
本発明は、病院の手術室環境における周囲照明を提供するための装置および方法に関する。
【背景技術】
【０００２】
手術室における典型的な入院患者の体験は恐ろしい体験であり、ぎらぎらと光る、且つ目障りなほどに照らされた環境によってしばしば悪化される。入院患者を不安にすることに加えて、鎮静率が部屋の環境の性質によって影響されることが示されている。結果として、患者の気分および平穏感を向上させる発明が有益となるであろう。病院は、診察室のような、あるいは、カテーテル検査室のような通常手技室のような、様々な病院環境で、ある形態の周囲照明を利用し始めてきたが、周囲照明を病院の外科室環境に提供するための適切なシステムはない。最小限の照明、すなわち壁あるいは天井の１つの小さい位置の周囲光源を提供するこれらの照明システムは、従って、没入型照明環境を作り出さない。また、周囲照明は着色光源を壁の前面に集光させることによって提供され、典型的に結果として色あせた光を生じる。手術室環境におけるこれらの光源の存在は、掃除しにくく（もし掃除されるのであれば）、生物学的有害物質に曝される付加的な表面領域を提供する（それによってそれらの成長のための培地を提供する）ので、考えうる安全上の危険となる。そのため、好適な周囲照明システムは、手術室環境の特定の要求、すなわち無菌要求、および火災、水、および電気の安全要求に適合されなければならない。
【０００３】
本発明の目的は、その強度、色、およびオン／オフ状態が外科医あるいは他の人物によって無線で制御される拡散周囲光を供給することのできる外科手術環境を提供することにある。
【０００４】
本発明の目的は、没入型照明体験を提供することにある。
【０００５】
本発明の更なる目的は、周囲照明によって入院患者の不安を軽減し、且つ病院外科環境内の患者およびスタッフの全体的な平穏感を向上させる方法を提供することにある。
【０００６】
本発明の更なる目的は、装置が容易に殺菌され且つ病院建築基準法に適合する周囲照明によって、病院外科環境での不安を軽減する装置および方法を提供することにある。
【０００７】
上記目的の１つ以上は、本発明によって全体あるいは一部において満たされ、更なる目的は下記の記載および特許請求の範囲を考慮することによって理解することができる。
【発明の開示】
【課題を解決するための手段】
【０００８】
ある特性を有する半透明シートパネルを提供することによって、着色ＬＥＤあるいは鮮やかな色の光源のアレイを収容するアルコーブのような集束光源を収容するバックパネルを使用して、組み合わせで周囲光源を提供することができる。特に、半透明シートは、非露出面、すなわちバックパネルとつながる表面、あるいは鮮やかな色の光源のアレイを収容するアルコーブからの光にさらされる表面が、集束光源を受けるとき、周囲光源を提供する。次いで、手術室の壁を、この半透明シートパネルで作ることができ、部屋を様々な強度で全側面から照らすことができる。背面照明の色を変えることができるため、患者の不安レベルを小さくすることができ且つ外科医およびスタッフに快適な作業環境を提供することができる、気分を高める環境を作り出す。更に、背面から照らされる材料は好ましくは非多孔質で低誘電率のものである。そのような材料はより無菌で、清掃することができる。そのような背面から照らされる壁照明は商業的に入手可能である。例えば、Ａｖｏｎｉｔｅ（登録商標）壁被覆を使用できる。アクリル硬質表面材料であるＡｖｏｎｉｔｅ（登録商標）は、乾式壁が取り付けられるのと大体同じ方法で壁支持材に付着する半透明材料である。最後に、Ｂｌｕｅｔｏｏｔｈを使用できるＰＤＡのような無線通信装置を利用することによって、照明の強度、色選択、およびＬＥＤパネルのオン／オフ状態を制御するようになっているマイクロプロセッサを収容する制御ボックスとＬＥＤパネルあるいは鮮やかな色の光源のアレイを統合することによって、ＬＥＤパネルあるいは鮮やかな色の光源のアレイを制御することができる。
【発明を実施するための最良の形態】
【０００９】
本発明は、添付図面と関連して最もよく理解することができる。本発明は、図面に示されるそのままの実施形態に限定されないことが留意される。
【００１０】
図１−２は、本発明の実施形態を記載する。
【００１１】
図１は、無線で制御された周囲照明システムの統合された概略的な概観を有する斜視図である。外科医は、ＰＤＡあるいは他の無線装置１１６を利用して無線使用可能な制御ボックス１１０と通信する。制御ボックスは、電源１１２によって電力を供給される。制御ボックスは、ＬＥＤ１０２の強度およびオン／オフ状態を調整する。単色光の能力があるＬＥＤを用いてもよいし、あるいは多色発光の能力があるＬＥＤを用いてもよい。単色ＬＥＤを使用する場合、様々な色の多数のＬＥＤを、４つの付加的な点灯されていないＬＥＤ１０６によって示されるように、パネル上に配置するのがよい。いかなる数のＬＥＤを、あるいはパネル上のＬＥＤの配置を、必要に応じて用いることができる。ＬＥＤに電力が供給されると、バックライトパネル１０４とつながっている半透明シート１００の非露出面１２２、すなわち部屋の中の人物には実質的には見えない側に、集束光が到達する。結果として、集束光は散乱し、露出面１２０上に、拡散した且つ心地良い光を生じる。
【００１２】
図２は、バックライトパネル１０４および半透明シート１００の組み合わせの側面図である。多数の点灯されたＬＥＤ１０２が、拡散光１１８を生じるのが示される。バックライトパネル１０４は互いに隣り合って積み重ねられ、半透明シート１００につながっている。図面から分かるように、いかなる数のＬＥＤがいずれのバックライトパネル１０４にあってもよい。非露出面１２２および露出面１２０は、この側面図においてより明らかに見られる。
【００１３】
図３は本発明の変形例の実施形態を示す。
【００１４】
図３は、露出面１２０および非露出面１２２を有する半透明シート１００を背面から照らすための変形例の手段を示す。シート１００は、天井１５２から床へ延びる。シート１００の後ろに、光源ハウジングおよび光源アレイ１５６が、天井１５２の中のアルコーブ１５４の中に配置される。アルコーブ１５４および光源１５６は、また、あるいは変形例として、床の中に、あるいは壁１６０の中の凹部ノッチの中に配置されてもよい。壁１６０は選択的に、鏡面あるいは磨かれた鋼のような反射面を備えてもよい。光源１５６は、鮮やかな色のハロゲン光源のアレイであってもよい。それはまた、固体ＬＥＤ照明のアレイでもよい。例えば、（Ｐｈｉｌｉｐｓ（登録商標）からの）Ｌｕｘｅｏｎ（登録商標）ブランドの光源アレイあるいは（ＴＩＲ（登録商標）からの）Ｄｅｓｔｉｎｙ  ＣＶ（登録商標）投射光を使用することができる。換言すると、単独で、あるいは他の光源と組み合わせて、鮮やかな色の光、好ましくは色選択可能な、を提供することができる光源が許容される。
【００１５】
１５６からの光がパネル１００の非露出面１２２に到達すると、直接（１６２）あるいは反射によって（１６４、壁１６０が反射性のとき、補助されて）露出面１２０が光を生じる。外科医はまた、先の実施形態のように、ＰＤＡあるいは他の無線装置１１６を利用して無線使用可能な制御ボックス１１０と通信することができる。
【００１６】
一般的に、半透明シートおよびバックライトパネルあるいは光源アレイの組み合わせは、手術室内のいかなる壁あるいは天井領域に配置することができる。好ましくは、手術室の表面の大部分に半透明シートが張られる。バックライトパネルを使用する場合、それらは大型であってもよいし、あるいは小型であってもよく、且つ、ＬＥＤあるいは他の集束光源の様々な密度を有する。一実施形態では、パネルは０．２５と０．７５インチの間の奥行きを有する６インチ×６インチの正方形であり、互いに等距離に間隔を隔てられた５つのＬＥＤを含む。着色光源あるいは着色光源のアレイを使用する場合、光源のアレイの多数の配置が企図される。これらの配置のいくつかを、４つの概略的な表示で図３の下に示す。
【００１７】
前述の記載、ある用語、および視覚的描写は、好ましい実施形態を説明するために使用される。しかしながら、用語および図は例示のためのみであり、本発明の範囲を限定することを意図していないため、使用される用語あるいは描写される図によって、先行技術に示されるもの以上に不必要な限定をすると解釈されるべきではない。添付の特許請求の範囲に記載される発明の範囲から逸脱することなしに、他の変更を本発明になすことができることが、さらに理解される。
【図面の簡単な説明】
【００１８】
【図１】図１は、無線で制御された周囲照明システムの統合された概略的概観を有する一実施形態の斜視図である。
【図２】図２は、図１に記載される周囲照明システムの実施形態の側面図である。
【図３】図３は、側面図で示される変形例の好ましい実施形態である。
【符号の説明】
【００１９】
１００  半透明壁材スラブ、１０２  点灯されたＬＥＤ、１０４  ＬＥＤパネル、１０６  ＬＥＤ、１０８  ＬＥＤまたは制御ボックスへの電源コード、１１０  制御ボックス、１１２  電源、１１４  無線入出力、１１６  無線制御装置、１１８  拡散周囲光、１２０  露出半透明パネル面、１２２  非露出半透明パネル面、１５０  変形例の周囲照明システム、１５２  天井、１５４  光源ハウジング、１５６  光源あるいは光源アレイ、１６０  壁、１６２  非反射光線、１６４  反射光線、１６６  周囲光
【図１】
0005091135.tif 000002
【図２】
0005091135.tif 000003
【図３】
0005091135.tif 000004